(57)【要約】      （修正有）【課題】貨物をバンドで繋留する時に形成される亀裂や損壊現象を防止することが出来るダンボール製パレットの提供。【解決手段】ダンボールを材料として製造された上板と、上板下方に設けられた底板、及び底板に組付けられ離間配置された複数のけたを具え、上述の上板が大面積の上片を具え、上片の両端が折り曲げられて前後端の小幅の連接片が設けられ、二つの連接片の外側に底被覆片が設けられ、上述の上片、二つの連接片及び二つの底被覆片が折り曲げられて共同で形成する上板中に上片と同じ面積の複数の補強紙板が設けられ、上板の二つの連接片が折り曲げられて防護式クローズ受力面である前後端面を形成する。【選択図】図２
0003107897.tif 000002
【実用新案登録請求の範囲】
【請求項１】
ダンボール製パレットにおいて、ダンボールを材料として製造された上板と、上板下方に設けられた底板、及び底板に組付けられ離間配置された複数のけたを具え、上述の上板が大面積の上片を具え、上片の両端が折り曲げられて前後端の小幅の連接片が設けられ、二つの連接片の外側に底被覆片が設けられ、上述の上片、二つの連接片及び二つの底被覆片が折り曲げられて共同で形成する上板中に上片と同じ面積の複数の補強紙板が設けられ、上板の二つの連接片が折り曲げられて防護式クローズ受力面である前後端面を形成したことを特徴とする、ダンボール製パレット。
【請求項２】
請求項１記載のダンボール製パレットにおいて、上板下方の底板が折り曲げられて離間配置された複数の凹室が設けられて各凹室に長方形のけたが挿入、接着され、両側の凹室に外向きに被覆用の上折片が接続されたことを特徴とする、ダンボール製パレット。
【請求項３】
請求項２記載のダンボール製パレットにおいて、底板の上折片の端部に返し折り片が設けられて、該返し折り片が凹室とけたの間に挿入されたことを特徴とする、ダンボール製パレット。
【請求項４】
請求項１記載のダンボール製パレットにおいて、底板に大面積の底片と、その両側の被覆辺を形成する短辺片、及び、短辺片の外側に位置する上折片が形成され、共同で複数の補強紙板と上板の底被覆片を包囲し、上板が底板の上折片を包囲し、四周の防護式クローズ受力面を形成することを特徴とする、ダンボール製パレット。
【請求項５】
請求項４記載のダンボール製パレットにおいて、けたの底部に防水底板が設けられたことを特徴とする、ダンボール製パレット。
【請求項６】
請求項５記載のダンボール製パレットにおいて、防水底板に保留辺を具え等距離に設けられた複数のスリットが設けられて複数の折片が形成され、各折片の間に折線が設けられて折り曲げと接着により防水底板が形成されたことを特徴とする、ダンボール製パレット。
【請求項７】
請求項５記載のダンボール製パレットにおいて、防水底板が上板と同じ構造の長條状とされたことを特徴とする、ダンボール製パレット。
【考案の詳細な説明】
【技術分野】
【０００１】
本考案は一種のダンボール製パレットに係り、特にダンボール製パレットの端面構造がバンドで繋留する時に形成される裂開、損壊を防止できるダンボール製パレットに関する。
【背景技術】
【０００２】
ダンボール製パレットは伝統的な木製パレットと較べて、軽量で、製造コストが低く、回収可能である長所を有し、その運用範囲もこのために更に広い。
【０００３】
現在あるダンボール製パレットは必要な機能構造上、積載面をなす上板とその下方の接地支持用のけたを具えている。ただし周知のダンボール製パレットは積載面の上板の接着定形後に、その前後端面が開放式とされるため、貨物をバンドで繋留する時に裂開、損壊の現象を発生しやすい。
【０００４】
図１は周知のダンボール製パレットを示し、それは主積載面をなす多層ダンボール上板９０に貨物が置かれた後、通常、バンド（例えばポリエチレンバンド）で前後方向に繋留される。ただし上述の上板９０の前後端面９１は未遮蔽の開放式であるため、バンドがその結束力により上板９０の前後端面９１に食い込み、裂開、損壊の状況を形成しやすく、ダンボール製パレットの使用機能に影響が生じるほか、パレット及び貨物が陥没し、裂開、損壊した端部が作業員の手部を傷つけやすい。ゆえに周知のダンボール製パレットには改善の必要がある。
【考案の開示】
【考案が解決しようとする課題】
【０００５】
本考案の主要な目的は、一種のダンボール製パレットを提供することにあり、それは、その端面に防護式クローズ受力面構造が採用され、バンドで貨物を繋留する時に形成されうる裂開、損壊現象を防止できるダンボール製パレットであるものとする。
【０００６】
本考案のダンボール製パレットは、ダンボールを材料として製造された上板と、上板下方に設けられた底板を具え、底板に複数の離間配置されたけたが設けられ、上述の上板が大面積の上片を具え、上片の両端が折り曲げられて前後端の小幅の連接片が設けられ、二つの連接片の外側に底被覆片が設けられている。上述の上片、二つの連接片及び二つの底被覆片が共同で折り曲げられてなる上板中に上片と同じ面積に複数の補強紙板が設けられ、上板の二つの連接片が折り曲げられて防護式クローズ受力面の前後端面を形成する。
【０００７】
別の実施例では、該底板が大面積の底片と、その両側の被覆辺を形成する短辺片と、短辺片の外側に位置する上折片を具えて共同で上述の複数の補強紙板及び上板の底被覆片を包囲し、上板が底板の上折片を包囲し、四周辺が防護式クローズ受力面を形成するものとされている。
【課題を解決するための手段】
【０００８】
請求項１の考案は、ダンボール製パレットにおいて、ダンボールを材料として製造された上板と、上板下方に設けられた底板、及び底板に組付けられ離間配置された複数のけたを具え、上述の上板が大面積の上片を具え、上片の両端が折り曲げられて前後端の小幅の連接片が設けられ、二つの連接片の外側に底被覆片が設けられ、上述の上片、二つの連接片及び二つの底被覆片が折り曲げられて共同で形成する上板中に上片と同じ面積の複数の補強紙板が設けられ、上板の二つの連接片が折り曲げられて防護式クローズ受力面である前後端面を形成したことを特徴とする、ダンボール製パレットとしている。
請求項２の考案は、請求項１記載のダンボール製パレットにおいて、上板下方の底板が折り曲げられて離間配置された複数の凹室が設けられて各凹室に長方形のけたが挿入、接着され、両側の凹室に外向きに被覆用の上折片が接続されたことを特徴とする、ダンボール製パレットとしている。
請求項３の考案は、請求項２記載のダンボール製パレットにおいて、底板の上折片の端部に返し折り片が設けられて、該返し折り片が凹室とけたの間に挿入されたことを特徴とする、ダンボール製パレットとしている。
請求項４の考案は、請求項１記載のダンボール製パレットにおいて、底板に大面積の底片と、その両側の被覆辺を形成する短辺片、及び、短辺片の外側に位置する上折片が形成され、共同で複数の補強紙板と上板の底被覆片を包囲し、上板が底板の上折片を包囲し、四周の防護式クローズ受力面を形成することを特徴とする、ダンボール製パレットとしている。
請求項５の考案は、請求項４記載のダンボール製パレットにおいて、けたの底部に防水底板が設けられたことを特徴とする、ダンボール製パレットとしている。
請求項６の考案は、請求項５記載のダンボール製パレットにおいて、防水底板に保留辺を具え等距離に設けられた複数のスリットが設けられて複数の折片が形成され、各折片の間に折線が設けられて折り曲げと接着により防水底板が形成されたことを特徴とする、ダンボール製パレットとしている。
請求項７の考案は、請求項５記載のダンボール製パレットにおいて、防水底板が上板と同じ構造の長條状とされたことを特徴とする、ダンボール製パレットとしている。
【考案の効果】
【０００９】
本考案のダンボール製パレットは、その端面に防護式クローズ受力面構造が採用され、バンドで貨物を繋留する時に形成されうる裂開、損壊現象を防止できる。
【考案を実施するための最良の形態】
【００１０】
図２に示されるように、本考案はダンボールで形成された上板１０と、上板１０の下方に設けられた底板２０、及び底板２０に組付けられた複数の離間配置されたけた３０で構成されている。
【００１１】
図２、３に示されるように、上述の上板１０は必要な面積の上片１１、上片１１の前後端が折り曲げられてなる小幅の連接片１２、１３、連接片１２、１３の外側に位置する底被覆片１４、１５で構成されている。上述の上片１１、二つの連接片１２、１３及び二つの底被覆片１４、１５が折り曲げられて共同で構成する上板１０の構造中に、上片１１面積に相当する複数（本実施例では２枚）の補強紙板１６、１７が組み合わされている。
【００１２】
上述の改良された上板１０の構造は図４に示されるように、連接片１２、１３が折り曲げられて防護式クローズ受力面を前後端面に形成し、有効にバンドによる貨物繋留時の裂開、損壊を防止できる。
【００１３】
図５に示されるように、上板１０下方の底板２０は予め折り曲げられて離間配置された複数の凹室２１が形成され、該凹室２１にそれぞれ長方形のけた３０が挿入、接着され、両側の凹室２１に外向きに被覆用の上折片２２が接続されている。図６は別の理想の実施方式を示す。即ち、上折片２２の端部に更に返し折り片２３が設けられ、凹室２１とけた３０の間に挿入接着され、その積載構造強度を増す。
【００１４】
図７に示される本考案の別の実施例では、上板１００及び底板４０の下方に複数の離間式のけた３０が組付けられ、バンドで前後左右の四方向より上方の貨物を繋留できリフターで四つの異なる方向より全体のパレット及びその上方の貨物を持ち上げられるものとされている。四方向からの操作に便利であるように、この実施例では、図７〜図１１に示されるように、上板１００が上片１１と二つの連接片１２、１３と二つの底被覆片１４、１５を具え、並びに内部に複数の補強紙板１６、１７が設置される。ただし、上片１１とけた３０の間に底板４０が設置され、この底板４０は所定サイズ面積の底片４１を具え、該底片４１は両側被覆辺の短辺片４２、４３を形成するのに用いられ、また底板４０は該短辺片４２、４３の外側に位置する上折片４４、４５を具え、これら上折片４４、４５に折り易さのために設けられた折線４６が設けられ、共同で複数の補強紙板１６、１７及び上板１００の底被覆片１４、１５を包囲し、上板１００は底板４０の上折片４４、４５を包囲して四周辺にいずれも防護式クローズ受力面が形成される。
【００１５】
図７に示される実施例では更に上述のけた３０の底部に防水底板５０が設けられ、この防水底板５０は、図７、１２、１３に示されるように、保留辺５３、５４を具えた複数の等距離スリット５２を具え複数の折片５１を形成し、各折片５１の間に折線が設けられ、折り畳まれ接着されて防水底板５０が形成され、更に防水ワニスが浸漬塗装されて剥離が防止される。
【００１６】
図１４に示される本考案の別の実施例では、防水底板５００が上述の上板１００の構造のような長條状に設けられている。
【００１７】
図１５に示される本考案のまた別の実施例では、底片４１０の両側の上折片４４０、４５０が延伸されて長くされ、全体被覆面が増加されている。
【００１８】
本考案の上述の上板構造は二方向或いは四周の防護式クローズ受力面を形成し、貨物をバンドで繋留する時の強固で信頼できる受力構造を有し、有効にダンボール製パレットに貨物を繋留する時に発生する裂開、損壊現象を防止できる。
【００１９】
以上の実施例は本考案の範囲を限定するものではなく、以上の実施例に基づきなしうる細部の修飾或いは改変は、いずれも本考案の請求範囲に属するものとする。
【図面の簡単な説明】
【００２０】
【図１】周知のダンボール製パレットの構造表示図である。
【図２】本考案の実施例の立体図である。
【図３】図２の上板の分解図である。
【図４】図３の組合せ状態図である。
【図５】図２の底板とけたの構造図である。
【図６】図５の底板とけたの別の実施例図である。
【図７】本考案の別の実施例図である。
【図８】図７の上板と底板の構造分解図である。
【図９】図７の組合せ状態図である。
【図１０】図８の局部断面図である。
【図１１】図１０の断面図である。
【図１２】図７の防水底板の展開図である。
【図１３】図１２の接着動作表示図である。
【図１４】本考案の別の防水底板の実施例図である。
【図１５】本考案の別の底板の実施例図である。
【符号の説明】
【００２１】
１０  上板        １１  上片
１２、１３  連接片
１４、１５  底被覆片
１６、１７  補強紙板
１００  上板
２０  底板        ２１  凹室        ２２  上折片
２３  返し折り片  ３０  けた
４０  底板        ４１  底片
４２、４３  短辺片
４４、４５  上折片
４６  折線        ４１０  底片
４４０、４５０  上折片
５０  防水底板    ５１  折片      ５２  スリット
５３  保留辺      ５４  保留辺
５００  防水底板
９０  上板        ９１  前後端面
【図１】
0003107897.tif 000003
【図２】
0003107897.tif 000004
【図３】
0003107897.tif 000005
【図４】
0003107897.tif 000006
【図５】
0003107897.tif 000007
【図６】
0003107897.tif 000008
【図７】
0003107897.tif 000009
【図８】
0003107897.tif 000010
【図９】
0003107897.tif 000011
【図１０】
0003107897.tif 000012
【図１１】
0003107897.tif 000013
【図１２】
0003107897.tif 000014
【図１３】
0003107897.tif 000015
【図１４】
0003107897.tif 000016
【図１５】
0003107897.tif 000017